(57)【要約】【課題】  紙幣の入金処理及び出金処理の両方に同時に障害が発生する確率を可及的に低減する。【解決手段】  入金紙幣投入部に投入された紙幣を入金紙幣搬送路が入金紙幣収納部に搬送して入金紙幣収納部が収納する入金処理と、出金紙幣収納部から繰り出された出金紙幣を出金紙幣搬送路が出金紙幣回収部に搬送して出金紙幣回収部が回収する出金処理とが並行して実行されている場合に、一方の処理に障害が発生した場合は、他方の処理を予め指定された段階で停止する。【選択図】  図４
2006024029.tif 000002
【特許請求の範囲】
【請求項１】
入金紙幣を投入する入金紙幣投入部と、
前記入金紙幣投入部から前記入金紙幣を受け取り、前記入金紙幣を搬送する入金紙幣搬送路と、
前記入金紙幣搬送路から前記入金紙幣を受け取り、前記入金紙幣を収納する入金紙幣収納部と、
出金紙幣を収納する出金紙幣収納部と、
前記出金紙幣収納部から前記出金紙幣を受け取り、前記出金紙幣を搬送する出金紙幣搬送路と、
前記出金紙幣搬送路から前記出金紙幣を受け取り、前記出金紙幣を回収する出金紙幣回収部と、
前記入金紙幣投入部に投入された前記入金紙幣を前記入金紙幣収納部へ搬送して前記入金紙幣収納部に収納する入金処理と、前記出金紙幣収納部に収納された前記出金紙幣を前記出金紙幣回収部へ搬送して前記出金紙幣回収部に回収する出金処理とが並行して実行されている場合に、一方の処理に障害が発生した場合は、他方の処理を予め指定された段階で停止する制御部と、
を備えた紙幣処理装置。
【請求項２】
前記制御部は、前記入金紙幣及び前記出金紙幣が搬送されている途中で前記入金紙幣あるいは前記出金紙幣が搬送不能な状態になった場合に、前記障害が発生したと判断することを特徴とする請求項１に記載の紙幣処理装置。
【請求項３】
前記制御部は、前記入金処理に障害が発生した場合、前記出金紙幣回収部に所定枚数の出金紙幣が回収された後で、前記出金処理を停止することを特徴とする請求項１又は２に記載の紙幣処理装置。
【請求項４】
前記制御部は、前記出金紙幣回収部に１００枚の出金紙幣が回収された後で前記出金処理を停止することを特徴とする請求項３に記載の紙幣処理装置。
【請求項５】
前記出金紙幣回収部によって回収された紙幣を処理する出金紙幣処理部をさらに備え、
前記制御部は、前記出金紙幣処理部によって前記所定枚数の出金紙幣が処理された後で、前記出金処理を停止することを特徴とする請求項３に記載の紙幣処理装置。
【請求項６】
前記出金紙幣処理部は、前記所定数枚の出金紙幣を結束する紙幣結束部、または前記所定枚数の出金紙幣を結束しさらに収納する紙幣結束及び収納部であることを特徴とする請求項５に記載の紙幣処理装置。
【請求項７】
前記出金紙幣回収部は、予め設定された最大回収可能枚数の出金紙幣を回収した後、前記出金処理を停止することを特徴とする請求項１又は２に記載の紙幣処理装置。
【請求項８】
前記入金紙幣投入部、前記入金紙幣搬送路、前記入金紙幣収納部、前記出金紙幣収納部、前記出金紙幣搬送路、前記出金紙幣回収部及び前記制御部は、筐体内に格納され、
前記出金紙幣回収部は、回収した前記出金紙幣をユーザにより前記筐体外へ取り出し可能に置くものであることを特徴とする請求項７に記載の紙幣処理装置。
【請求項９】
前記制御部は、前記出金処理に障害が発生した場合、前記入金紙幣回収部に所定枚数の入金紙幣が収納された後で、前記入金処理を停止することを特徴とする請求項１乃至８のいずれかに記載の紙幣処理装置。
【請求項１０】
前記入金紙幣搬送路から前記入金紙幣を受け取って一時的に格納し、格納した入金紙幣が規定枚数に達した場合は、前記格納した紙幣を前記入金紙幣収納部に渡す一時保留部をさらに備え、
前記制御部は、前記出金処理に障害が発生した場合は、前記一時保留部に前記規定枚数の入金紙幣が格納された後で、前記入金処理を停止することを特徴とする請求項１乃至９のいずれかに記載の紙幣処理装置。
【発明の詳細な説明】
【技術分野】
【０００１】
本発明は、紙幣の入金処理及び出金処理を並行して実行可能な紙幣処理装置に関する。
【背景技術】
【０００２】
一般に金融機関などには紙幣の入金処理及び出金処理を行う紙幣処理装置が配置される。このような紙幣処理装置は、入出金処理及び出金処理を効率的に取り扱うため、通常、両処理を並行して実行可能に構成される。
【０００３】
ところで、このような紙幣処理装置においては、紙幣の入金処理及び出金処理において紙詰まり等の障害が発生することがある。
【０００４】
両処理の並行実行時において、両処理のいずれか一方に紙詰まりが発生した場合は、係員が、他方の処理が終了した後で、詰まった紙幣及び搬送途中の紙幣の除去等し、処理を再開すればよい。しかし、その他方の処理にも続けて紙詰まりが発生すると、つまり、両処理に同時に紙詰まりが発生すると、係員は、詰まった紙幣及び搬送途中の紙幣を、入金紙幣及び出金紙幣に分別して除去しなければならならず、判断を誤ると、種々の違算が発生する問題がある。
【特許文献１】特開２００３−３０８５５７公報
【特許文献２】特開昭５２−８７０９８号公報
【特許文献３】特公平３−１０１４７号公報
【発明の開示】
【発明が解決しようとする課題】
【０００５】
本発明は、上記問題点に鑑みてなされたものであり、その目的は、紙幣の入金処理及び出金処理の両方に同時に障害が発生する確率を可及的に低減した紙幣処理装置を提供することにある。
【課題を解決するための手段】
【０００６】
本発明の紙幣処理装置は、入金紙幣を投入する入金紙幣投入部と、前記入金紙幣投入部から前記入金紙幣を受け取り、前記入金紙幣を搬送する入金紙幣搬送路と、前記入金紙幣搬送路から前記入金紙幣を受け取り、前記入金紙幣を収納する入金紙幣収納部と、出金紙幣を収納する出金紙幣収納部と、前記出金紙幣収納部から前記出金紙幣を受け取り、前記出金紙幣を搬送する出金紙幣搬送路と、前記出金紙幣搬送路から前記出金紙幣を受け取り、前記出金紙幣を回収する出金紙幣回収部と、前記入金紙幣投入部に投入された前記入金紙幣を前記入金紙幣収納部へ搬送して前記入金紙幣収納部に収納する入金処理と、前記出金紙幣収納部に収納された前記出金紙幣を前記出金紙幣回収部へ搬送して前記出金紙幣回収部に回収する出金処理とが並行して実行されている場合に、一方の処理に障害が発生した場合は、他方の処理を予め指定された段階で停止する制御部と、を備える。
【０００７】
前記制御部は、前記入金紙幣あるいは前記出金紙幣が搬送されている途中で前記入金紙幣あるいは前記出金紙幣が搬送不能な状態になった場合に、前記障害が発生したと判断することを特徴とする。
【０００８】
前記制御部は、前記入金処理に障害が発生した場合、前記出金紙幣回収部に所定枚数の出金紙幣が回収された後で、前記出金処理を停止することを特徴とする。
【０００９】
前記制御部は、前記出金紙幣回収部に１００枚の出金紙幣が回収された後で前記出金処理を停止することを特徴とする。
【００１０】
前記出金紙幣回収部によって回収された紙幣を処理する出金紙幣処理部をさらに備え、前記制御部は、前記出金紙幣処理部によって前記所定枚数の出金紙幣が処理された後で、前記出金処理を停止することを特徴とする。
【００１１】
前記出金紙幣処理部は、前記所定数枚の出金紙幣を結束する紙幣結束部、または前記所定枚数の出金紙幣を結束しさらに収納する紙幣結束及び収納部であることを特徴とする。
【００１２】
前記出金紙幣回収部は、予め設定された最大回収可能枚数の出金紙幣を回収した後、前記出金処理を停止する。
【００１３】
前記入金紙幣投入部、前記入金紙幣搬送路、前記入金紙幣収納部、前記出金紙幣収納部、前記出金紙幣搬送路、前記出金紙幣回収部及び前記制御部は、筐体内に格納され、
前記出金紙幣回収部は、回収した前記出金紙幣をユーザにより前記筐体外へ取り出し可能に置くことを特徴とする。
【００１４】
前記制御部は、前記出金処理に障害が発生した場合、前記入金紙幣回収部に所定枚数の入金紙幣が収納された後で、前記入金処理を停止することを特徴とする。
【００１５】
前記入金紙幣搬送路から前記入金紙幣を受け取って一時的に格納し、格納した入金紙幣が規定枚数に達した場合は、前記格納した紙幣を前記入金紙幣収納部に渡す一時保留部をさらに備え、前記出金処理に障害が発生した場合は、前記制御部は、前記一時保留部に前記規定枚数の入金紙幣が格納された後で、前記入金処理を停止することを特徴とする。
【発明の効果】
【００１６】
本発明によれば、紙幣の入金処理及び出金処理の並行実行時に両処理のいずれか一方の処理に障害が発生した場合は、他方の処理を予め指定した段階で停止するため、入金処理及び出金処理の両方に同時に障害が発生する確率を可及的に低減でき、これにより入金処理及び出金処理時における違算の発生を低減できる。
【発明を実施するための最良の形態】
【００１７】
以下、図面を参照しながら、本発明の実施の形態について説明する。
【００１８】
図１は、本発明の実施の形態に係わる紙幣処理装置を搭載した現金処理装置の外観を示す斜視図である。
【００１９】
図２は、この現金処理装置の詳細なブロック図である。
【００２０】
図１の現金処理装置は、各種金種の紙幣及び硬貨の入出金処理を行うもので、金融機関などに配置される。
【００２１】
紙幣処理装置１は、各種バラ紙幣の入出金処理を行うバラ紙幣処理装置Ｐ１と、各種束紙幣の入出金処理を行う束紙幣処理装置Ｐ２とを備える。
【００２２】
バラ紙幣処理装置Ｐ１は、バラ紙幣を入金する入金口１１と、バラ紙幣を出金する出金口１２とを備える。バラ紙幣処理装置Ｐ１は、入金口１１から投入されたバラ紙幣をその金種に応じて内部のバラ紙幣収納部に格納する。また、バラ紙幣処理装置Ｐ１は、指定された金種及び枚数のバラ紙幣を内部のバラ紙幣収納部から繰り出して出金口１２を介して受取り可能に置く。入金処理や出金処理時に内部で紙詰まりが起こった場合は、係員が、引き出し１３及び扉１４を手前に開けることで、詰まった紙幣及び搬送途中の紙幣を取り出すことができる。
【００２３】
束紙幣処理装置Ｐ２は、束紙幣を出金するためのシャッタ開閉式の束出金口１５と、装置内の束紙幣を回収するためのシャッタ開閉式の束放出口１６とを備える。束紙幣処理装置Ｐ２は、バラ紙幣処理装置Ｐ１と互いの対向面において連結されており、バラ紙幣処理装置Ｐ１から１束分の枚数（例えば１００枚）の紙幣を受け取り、帯封をして、内部の束紙幣収納部に金種別に格納する。また、束紙幣処理装置Ｐ２は、指定された金種及び束数の束紙幣を束紙幣収納部から取り出して束出金口１５を介して受取り可能に置く
バラ硬貨処理装置２は各種金種のバラ硬貨の入出金処理を行うものであり、包装硬貨処理装置３は各種金種の包装硬貨を処理するものである。現金外ボックス４は現金以外の有価証券類を投入するものである。
【００２４】
端末部５は現金処理装置全体を制御し、外部プリンタ８は端末部５の指示に従ってシートに印字を行う。
【００２５】
端末部５は、利用者とのインターフェースとなる表示部５ａ、及び係員のＩＤカードを読み取るＩＤカードリーダ５ｂを備える。また、端末部５は、図２に示すように、各種プログラム及びデータを格納したＲＯＭ５ｄ、プログラムのロード領域及びプログラム実行時の作業領域となるＲＡＭ５ｅ、入力されたフレキシブルディスクに対してデータの読み書きを行うフレキシブルディスクドライブ５ｆ、各種プログラム及びデータを記憶したハードディスクドライブ５ｇ、ハードディスクドライブ５ｇ及びＲＯＭ５ｄ内に格納されたプログラムを実行して現金処理装置全体をコントロールする制御部５ｃを備える。ＲＯＭ５ｄ及びハードディスクドライブ５ｇ内には、例えばバラ紙幣処理装置Ｐ１による入金処理及び出金処理を制御するプログラムが格納されている。通信インターフェース（通信IF）９は、外部の装置（図示せず）との間でデータ通信を行うためのものであり、例えば現金処理装置の背面に配置される。
【００２６】
図３は、バラ紙幣処理装置Ｐ１の内部構造を模式的に示す断面図である。
【００２７】
このバラ紙幣処理装置Ｐ１は、簡単には、入金時には入金部１７に投入されたバラ紙幣を対応するバラ紙幣一括カセット２４あるいはバラ紙幣カセット２３ａ〜２３ｄに収納し、出金時にはバラ紙幣カセット２３ａ〜２３ｄ内の紙幣を指定金種及び指定枚数繰り出して出金部２６に出金等するものである。より詳細には以下の通りである。
【００２８】
このバラ紙幣処理装置Ｐ１は、大きく分けて、入出金処理部９とバラ紙幣収納部１０とから構成される。
【００２９】
入出金処理部９は、バラ紙幣の投入を受け付け投入されたバラ紙幣を繰り出す入金部１７と、入金部１７から繰り出されたバラ紙幣を搬送する入金搬送経路Ｒ１と、入金搬送経路Ｒ１を搬送されるバラ紙幣の金種及び正損を判別する入金識別部１８と、入金識別部１８によって取扱不可と判断された紙幣を排出する入金リジェクト部（入金ＲＪ部）１９とを備える。これら入金部１７及び入金リジェクト部１９は、シャッタ開閉式の入金口１１を介して、その内部を、開放可能に構成されている。入金識別部１８の下流に配置された表裏反転部２０は、入金識別部１８によって取扱可能と判断された紙幣の向き（表裏）を、所定の方向に統一して送り出す。表裏反転部２０の下流には、上述のバラ紙幣収納部１０が配置されている。
【００３０】
バラ紙幣収納部１０は、入金搬送経路Ｒ１を搬送されてきたバラ紙幣を受け取って、一時的に保留する一時保留部２１、２２ａ〜２２ｄと、一時保留部２１、２２ａ〜２２ｄに一時的に保留された紙幣を受け取って収納するバラ紙幣一括カセット２４及びバラ紙幣カセット２３ａ〜２３ｄとを備える。
【００３１】
一時保留部２１、２２ａ〜２２ｄは、端末５から収納指示を受けた時点で、保留している紙幣を対応するバラ紙幣一括カセット２４及びバラ紙幣カセット２３ａ〜２３ｄに渡す。より詳細には、係員が表示部５ａを介して一時保留部に所定枚数の紙幣が蓄積されたことを確認したら、キーボード式操作部６を用いて端末５に対し入金確定指示を入力し、端末５がこの入金確定指示に基づき収納指示をバラ紙幣処理装置Ｐ１に出力する。収納指示を受けたバラ紙幣処理装置Ｐ１は、一時保留部におけるバラ紙幣を、対応するバラ紙幣一括カセット２４あるいはバラ紙幣カセット２３ａ〜２３ｄに渡す。
【００３２】
バラ紙幣カセット２３ａ〜２３ｄは、それぞれ所定の金種のバラ紙幣を収納する。例えば、バラ紙幣カセット２３ａ〜２３ｃは一万円札、バラ紙幣カセット２３ｄは千円札を収納する。バラ紙幣一括カセット２４は、バラ紙幣カセット２３ａ〜２３ｄによって取り扱われない金種の紙幣を収納する。例えば、バラ紙幣一括カセット２４は、上記例の場合、１万円札及び千円札以外の紙幣、つまり、５千円札及び２千円札を金種混合状態に収納する。この他、バラ紙幣一括カセット２４は、バラ紙幣カセット２３ａ〜２３ｄ内にバラ紙幣が入り切らなくなった場合に、バラ紙幣カセット２３ａ〜２３ｄに代わってバラ紙幣を収納することも行う。バラ紙幣カセット２３ａ〜２３ｄは、出金時には、指定された枚数の紙幣を繰り出す。
【００３３】
バラ紙幣カセット２３ａ〜２３ｄの図中下方には、バラ紙幣カセット２３ａ〜２３ｄから繰り出されたバラ紙幣を搬送する出金搬送経路Ｒ２が形成されている。なお、バラ紙幣一括カセット２４内のバラ紙幣の回収は、筐体の前面の扉１４を開いて、カセットごと回収する。
【００３４】
出金搬送経路Ｒ２の途中には、出金されるバラ紙幣の金種及び正損を判別する出金識別部２５が形成されている。出金搬送経路Ｒ２は、出金識別部２５の下流において、４つの方向へ分岐する。即ち、出金搬送経路Ｒ２は、出金部２６、出金リジェクト部（出金ＲＪ部）２８、及びスタッカ２９ａ、２９ｂへ分岐する。
【００３５】
出金部２６は、出金時に出金識別部２５によって正常な紙幣と判断されたバラ紙幣を取り込む。出金部２６に取り込まれたバラ紙幣は、開閉シャッタ式の出金口１４が開かれることで、バラ紙幣処理装置Ｐ１の筐体外へ係員によって取り出し可能になる。この出金部２６は、予め設定された最大収容枚数までバラ紙幣を取り込み可能である。
【００３６】
出金リジェクト部２８は、出金識別部２５により取扱不可と判断されたバラ紙幣を回収する。
【００３７】
スタッカ２９ａ、２９ｂは、バラ紙幣の束化時に、出金識別部２５によって正常な紙幣と判断されたバラ紙幣を束化に必要な枚数分（例えば１００枚）受け取って積み重ね状態に置く。バラ紙幣カセット２３ａ〜２３ｄの紙幣が規定容量（例えば８００枚）に達した場合や、端末部５からの指示があった場合などは、束化に必要な枚数分の紙幣がバラ紙幣カセット２３ａ〜２３ｄから繰り出され、スタッカ２９ａ、２９ｂに積み重ね状態に格納される。ここで入金搬送経路Ｒ１と出金搬送経路Ｒ２との間にはバイパス経路Ｒ３が形成されており、入金部１７に入金されたバラ紙幣を直接束化する場合は、入金されたバラ紙幣をこのバイパス経路Ｒ３を介してスタッカ２９ａ、２９ｂに搬送する。
【００３８】
スタッカ２９ａ、２９ｂの後方には、スタッカ２９ａ、２９ｂ内から積み重ね状態のバラ紙幣を受け取って束紙幣処理装置Ｐ２に渡す束搬送ユニット３０が形成されている。束搬送ユニット３０は、スタッカ２９ａ、２９ｂ内から積み重ね状態のバラ紙幣を受け取る一対の把持部３０ａと、把持部３０ａに保持された積み重ね状態のバラ紙幣を束紙幣処理装置Ｐ２に運ぶ移動部３０ｂとを備える。把持部３０ａは、図中左右方向に伸縮可能に構成されるとともに、上下２つのスタッカ２９ａ、２９ｂのそれぞれに対応する位置に移動可能に構成される。なお、束紙幣処理装置Ｐ２は、バラ紙幣処理装置Ｐ１から渡された積み重ね状態のバラ紙幣に帯封をする結束部と、帯封された束紙幣を収納する束紙幣収納部とを備える。
【００３９】
本実施の形態において、入金部１７に投入されたバラ紙幣を入金部１７から繰り出して搬送する処理を含む処理を入金処理と称する。また、本実施の形態において、バラ紙幣カセット２３ａ〜２３ｄ内の紙幣をバラ紙幣カセット２３ａ〜２３ｄから繰り出して搬送する処理を含む処理を出金処理と称する。
【００４０】
以上のようなバラ紙幣処理装置Ｐ１は、入金処理と出金処理とを並行して実行可能であり、両処理を並行して実行している最中に、一方の処理に紙詰まりなどによる障害が発生した場合は、他方の処理を予め指定した段階で一時的に停止するように構成される。以下これについてさらに詳しく説明する。
【００４１】
図４は、バラ紙幣処理装置Ｐ１による入出金処理の一例を説明するフローチャートである。
【００４２】
まず、係員が入金口１１を介して入金部１７にバラ紙幣を投入する（ステップＳ１）。ここでは１万円札を２００枚投入したとする。係員は、キーボード式操作部６を用いて入金処理を端末５に指示し、端末５はバラ紙幣処理装置Ｐ１に入金処理を開始させる（ステップＳ２）。
【００４３】
すなわち、バラ紙幣処理装置Ｐ１は、入金部１７に投入された１万円札を１枚ずつ入金搬送経路Ｒ１に繰り出し、繰り出した紙幣の金種及び正損を入金識別部１８において識別し、取扱不可の紙幣は入金ＲＪ部１９に送り、正常な１万円札は表裏反転部２０に送る。バラ紙幣処理装置Ｐ１は、表裏反転部２０において１万円札の向きを所定の方向に統一して送り出し、送り出した１万円札をその金種に応じた一時保留部に格納する。本例では１万円札を一時保留部２２ａに格納するとする。係員は、表示部５ａを介して、一時保留部２２ａに一定枚数（本例では５０枚とする）の１万円札が格納されたことを確認したら、端末５に入金確定指示を入力する。入金確定指示を受けた端末５はバラ紙幣処理装置Ｐ１に収納指示を出力し、収納指示を受けたバラ紙幣処理装置Ｐ１は、一時保留部２２ａ内の１万円札５０枚を対応するバラ紙幣カセット２３ａに収納する。
【００４４】
端末部５はバラ紙幣カセット２３ａ〜２３ｄ内に収納されているバラ紙幣の枚数を常時監視しており、収納枚数が自動収集開始枚数に達したら（ステップＳ３）自動収集処理の開始をバラ紙幣処理装置Ｐ１に対して指示する。この自動収集処理は、自動収集開始枚数に達したバラ紙幣カセット内のバラ紙幣を自動収集終了枚数だけ残し、その他の「自動収集開始枚数−自動収集終了枚数」分の紙幣を束紙幣処理装置Ｐ２で束化及び収納する処理である。本例では自動収集開始枚数を８００枚、自動収集終了枚数を３００枚とする。
【００４５】
ここで、上述のステップＳ２においてバラ紙幣カセット２３ａに１万円札が５０枚収納された時点で、バラ紙幣カセット２３ａ内の１万円札が８００枚に達したとする。
【００４６】
端末部５は、バラ紙幣カセット２３ａ内の１万円札が８００枚に達したことを検出する。端末部５は、８００−３００＝５００枚分のバラ紙幣の自動収集処理を開始することをバラ紙幣処理装置Ｐ１に指示する。自動収集処理の開始指示を受けたバラ紙幣処理装置Ｐ１は、バラ紙幣カセット２３ａ内のバラ紙幣の収集を開始する（ステップＳ４）。
【００４７】
より詳細には、まず、バラ紙幣処理装置Ｐ１は、バラ紙幣カセット２３ａ内の１万円札を所定単位枚数（本例では１００枚とする）順次繰り出してスタッカ２９ａあるいはスタッカ２９ｂに回収する。そしてバラ紙幣処理装置Ｐ１は、スタッカ２９ａあるいはスタッカ２９ｂに回収された１００枚の１万円札を束紙幣処理装置Ｐ２に渡し、束紙幣処理装置Ｐ２は受け取った１００枚の１万円札を束化して収納する。以上のことを計５回行って、計５つの１万円札の束を束紙幣処理装置Ｐ２内に収納する。一方、バラ紙幣処理装置Ｐ１は、この自動収集処理と並行して、上述の入金処理の残り（残りの１万円札１５０枚の入金処理）も行う。
【００４８】
端末部５は、両処理（入金処理及び自動収集処理）を並行して実行している最中、入金処理あるいは自動収集処理に紙詰まり等の障害が発生していないかどうかを監視する（ステップＳ５）。ここで、上述した自動収集処理における１回目の回収処理（最初の１００枚の回収）の途中において、入金処理に紙詰まりが発生し、端末部５がこのことを検出したとする（ステップＳ５のＹＥＳ）。例えば表裏反転部２０あるいは入金搬送経路Ｒ１において紙詰まりが発生したとする。
【００４９】
紙詰まりが発生したことを検出した端末部５は、バラ紙幣処理装置Ｐ１に自動収集処理を所定の段階（切りが良い所）で一時停止させる（ステップＳ６）。例えば端末部５は、１万円札を１００枚スタッカ２９ａあるいはスタッカ２９ｂに回収した時点（１回目の回収処理が終了した時点）、あるいは、スタッカ２９ａあるいはスタッカ２９ｂに回収された１００枚の１万円札を束紙幣処理装置Ｐ２に送り出した時点、あるいは、束紙幣処理装置Ｐ２に送り出された１００枚の１万円札に帯封をした時点、あるいは帯封された紙幣束を束紙幣処理装置Ｐ２内に収納した時点等で、自動収集処理を一時停止させる
係員は、自動収集処理が中断されたバラ紙幣処理装置Ｐ１の引き出し１３及び扉１４を開けて、詰まった入金紙幣及び搬送途中の入金紙幣を取り除き、所定の作業を行った後、入金処理及び自動収集処理の再開指示を端末部５に指示する。指示を受けた端末部５は、バラ紙幣処理装置Ｐ１に入金処理及び自動収集処理を再開させる（ステップＳ７）。
【００５０】
この後、さらに入金処理及び自動収集処理の並行実行時において今度は自動収集処理の方に紙詰まりが発生したとする（ステップＳ５のＹＥＳ）。この場合、端末５はバラ紙幣処理装置Ｐ１に、入金処理を所定の段階で一時停止させる（ステップＳ６）。例えば、一時保留部２２ａに一定枚数である５０枚の１万円札が格納された時点あるいは一時保留部２２ａに格納された５０枚の１万円札がバラ紙幣カセット２３ａに渡された時点で入金処理を一時停止する。そして係員により詰まった出金紙幣及び搬送途中の出金紙幣が除去された後、両処理を再開する（ステップＳ７）。両処理が完了するまで（ステップＳ８のＹＥＳ）、上述のステップＳ５〜Ｓ７を繰り返す（ステップＳ８のＮＯ）。
【００５１】
以上に説明した本実施の形態では、入金処理及び出金処理の障害として紙詰まりの場合を例に説明したが、本発明は紙詰まりに限定されず、その他の原因による障害も含む。例えば片方の処理がハードウェア故障により紙幣の搬送の途中で停止することによる障害も本発明は含む。
【００５２】
また、本実施の形態では、出金処理の例として主に自動収集処理を説明したが、上述のように、通常の出金処理、すなわち指定金種及び指定枚数分の紙幣を出金部１２に出金する処理も含む。この場合において、入金処理に障害が発生した場合、出金処理を停止する段階としては、例えば出金部２６に、予め設定された最大収容枚数のバラ紙幣を搬送した後等があり得る。
【００５３】
また、本実施の形態ではバラ紙幣処理装置Ｐ１を制御するプログラムを格納したＲＯＭ５ｄ及びハードディスクドライブ５ｇや、このプログラムを実行してバラ紙幣処理装置Ｐ１を制御する制御部５ｃを端末部５内に設けたが、本制御部をバラ紙幣処理装置Ｐ１の内部に設けても良い。
【００５４】
また、本実施の形態ではプログラムによりバラ紙幣処理装置Ｐ１に対する制御を行ったがこの制御をハードウェアで行ってもよい。
【００５５】
以上のように、本実施の形態によれば、紙幣の入金処理及び出金処理の並行実行時において一方の処理に障害が発生した場合は、他方の処理を所定の段階で一時停止するため、両方の処理に同時に障害が発生する確率を低減できる。
【００５６】
即ち、上述した自動収集処理における１回目の回収処理（最初の１００枚）の途中で入金処理の方に障害が発生した例では、収集対象となる５００枚のバラ紙幣うち１００枚をスタッカ等に回収した時点で自動収集処理を一時停止する。これに対し従来技術では全５００枚の回収処理が全て終了するまで自動収集処理は停止されない。従って、本実施の形態において、両処理に同時に障害が発生する確率は、従来に比べて５分の１となる。
【００５７】
また本実施の形態は、このように入金処理及び出金処理に同時に障害が発生する確率を低減できるため、係員が詰まった紙幣及び搬送途中の紙幣を除去するときに、その紙幣が入金紙幣であるか出金紙幣であるかの判断を誤る機会を低減でき、よって入金処理及び出金処理において違算が生じる機会は低減される。
【図面の簡単な説明】
【００５８】
【図１】本発明の実施の形態に係る紙幣処理装置を搭載した現金処理装置の構成を示す外観図である。
【図２】図１の現金処理装置の詳細なブロック図である。
【図３】バラ紙幣処理装置の内部構成を模式的に示す断面図である。
【図４】バラ紙幣処理装置による入出金処理を説明するためのフローチャートである。
【符号の説明】
【００５９】
１  紙幣処理装置
Ｐ１  バラ紙幣処理装置
Ｐ２  束紙幣処理装置
２  バラ硬貨処理装置
３  包装硬貨処理装置
４  現金外ボックス
５  端末部
５ａ  表示部
５ｂ  ＩＤカードリーダ
５ｃ  制御部
５ｄ  ＲＯＭ
５ｅ  ＲＡＭ
５ｆ  フレキシブルディスクドライブ
５ｇ  ハードディスクドライブ
６  キーボード式操作部
８  外部プリンタ
９  入出金処理部
１０  バラ紙幣収納部
１１  入金口
１２  出金口
１３  引き出し
１４  扉
１５  束出金口
１６  束放出口
１７  入金部
１８  入金識別部
１９  入金ＲＪ部
２０  表裏反転部
２１、２２ａ〜２２ｄ  一時保留部
２３ａ〜２３ｄ  バラ紙幣カセット
２４  バラ紙幣一括カセット
２５  出金識別部
２６  出金部
２８  出金ＲＪ部
２９ａ、２９ｂ  スタッカ
３０  束搬送ユニット
３０ａ  把持部
３０ｂ  移動部
【図１】
2006024029.tif 000003
【図２】
2006024029.tif 000004
【図３】
2006024029.tif 000005
【図４】
2006024029.tif 000006